(57)【要約】  データ入出力システム、電力入力システム、及びプロセッシングユニットを有する第１の改良分界点を含む改良分界点システム。データ入出力システムは、ネットワークコントローラ、フェムトセル、及びＷｉ−Ｆｉ（登録商標）アンテナを有する。電力入力システムは、第１の改良分界点用の電源を受信する。第１の改良分界点は、第１の場所において設置される。データ入出力システムは、第１の電話網へ、及び、第１の電話網から、データ信号（アップストリームデータの信号とも称する）を受信し、且つ、ブロードキャストし、並びに、第１の場所へ、及び、第１の場所から、データ信号（ダウンストリームデータの信号とも称する）を受信し、且つ、ブロードキャストする。プロセッシングユニットは、データストレージ、１又は複数のプロセッサ、１又は複数のメモリユニット、及び通信ハードウェアを有する。通信ハードウェアは、プロセッシングユニットと、データ入出力システム及び電力入力システムの両方との間で複数の信号を通信する。
2016503596.tif 000002
【特許請求の範囲】
【請求項１】
データ入出力システム、電力入力システム、及びプロセッシングユニットを有する第１の改良分界点を
備え、
前記データ入出力システムは、ネットワークコントローラ、フェムトセル、及びＷｉ−Ｆｉ（登録商標）アンテナを有し、
前記電力入力システムは、前記第１の改良分界点用の電源を受信し、
前記第１の改良分界点は、第１の場所において設置され、
前記データ入出力システムは、第１の電話網へ、及び、前記第１の電話網から、データ信号（アップストリームデータの信号とも称する）を受信し、且つ、ブロードキャストし、並びに、前記第１の場所へ、及び、前記第１の場所から、データ信号（ダウンストリームデータの信号とも称する）を受信し、且つ、ブロードキャストし、
前記プロセッシングユニットは、データストレージ、１又は複数のプロセッサ、１又は複数のメモリユニット、及び通信ハードウェアを有し、
前記通信ハードウェアは、前記プロセッシングユニットと、前記データ入出力システム及び前記電力入力システムの両方との間で複数の信号を通信し、
前記第１の電話網は、有線電話網を有し、
前記第１の電話網は、有線電話網及び無線電話網を有し、
前記第１の電話網は、前記第１の改良分界点を、前記アップストリームデータの信号の処理用の第１の中央局を有する遠距離通信プロバイダネットワークに接続し、
前記遠距離通信プロバイダネットワークは、第三者データを格納するための第１のデータセンタを有し、
前記第三者データは、前記１又は複数の場所において生成され、前記第１の改良分界点により収集されたデータを含み、
前記フェムトセルは、前記第１の電話網上の１又は複数の送電塔を用いることなく、１又は複数のモバイルデバイスへ、及び前記１又は複数のモバイルデバイスからアップストリームデータの信号を通信し、
前記電力入力システムは、前記第１の改良分界点へのバックアップ電力用のバッテリを有し、
前記データ入出力システムは、前記第１の改良分界点の付近の複数のタグからの複数の近距離データ送信を受信するＲＦＩＤリーダーを含み、
前記複数のタグからの前記複数の近距離データ送信は、前記プロセッシングユニット内のデータストレージ内に格納され、
前記プロセッシングユニットは、前記プロセッシングユニットをユーザインタフェースデバイスと接続するポータルを有し、
前記第１の改良分界点は、避雷器、１又は複数のフューズ、及びテスト回路を有する１又は複数の内部構成要素をさらに有し、
前記第１の改良分界点の前記電力入力システムは、前記有線電話網を介して前記電源を受信し、
前記第１の改良分界点の前記電力入力システムは、太陽電池パネルの形成する前記電源を受信し、
前記第１の改良分界点は、ダウンストリームデータの信号を受信し、第三者データとして格納するために、前記ダウンストリームデータの信号を第１のデータセンタに送信し、
前記第三者データは、承認された資格情報を有する第三者によってアクセス可能であり、
前記第三者データは、１又は複数のユーティリティメータからの信号を含む
改良分界点。
【請求項２】
データ入出力システム、電力入力システム、及びプロセッシングユニットを有する第１の改良分界点を
備え、
前記データ入出力システムは、ネットワークコントローラ、フェムトセル、及びＷｉ−Ｆｉ（登録商標）アンテナを有し、
前記電力入力システムは、前記第１の改良分界点用の電源を受信し、
前記第１の改良分界点は、第１の場所において設置され、
前記データ入出力システムは、第１の電話網へ、及び、前記第１の電話網から、データ信号（アップストリームデータの信号とも称する）を受信し、且つ、ブロードキャストし、並びに、前記第１の場所へ、及び、前記第１の場所から、データ信号（ダウンストリームデータの信号とも称する）を受信し、且つ、ブロードキャストし、
前記プロセッシングユニットは、データストレージ、１又は複数のプロセッサ、１又は複数のメモリユニット、及び通信ハードウェアを有し、
前記通信ハードウェアは、前記プロセッシングユニットと、前記データ入出力システム及び前記電力入力システムの両方との間で複数の信号を通信する
改良分界点システム。
【請求項３】
前記第１の電話網は、有線電話網を有する
請求項２に記載の改良分界点システム。
【請求項４】
前記第１の電話網は、有線電話網及び無線電話網を有する
請求項２に記載の改良分界点システム。
【請求項５】
前記第１の電話網は、前記第１の改良分界点を、複数の前記アップストリームデータの信号の処理用の第１の中央局を有する遠距離通信プロバイダネットワークに接続する
請求項２に記載の改良分界点システム。
【請求項６】
前記遠距離通信プロバイダネットワークは、第三者データを格納するための第１のデータセンタを有し、
前記第三者データは、前記１又は複数の場所において生成され、前記第１の改良分界点により収集されたデータを含む
請求項５に記載の改良分界点システム。
【請求項７】
前記フェムトセルは、前記第１の電話網上の１又は複数の送電塔を用いることなく、１又は複数のモバイルデバイスへ、及び前記１又は複数のモバイルデバイスからアップストリームデータの信号を通信する
請求項２に記載の改良分界点システム。
【請求項８】
前記電力入力システムは、前記第１の改良分界点へのバックアップ電力用のバッテリを有する
請求項２に記載の改良分界点システム。
【請求項９】
前記データ入出力システムは、前記第１の改良分界点の付近の複数のタグからの複数の近距離データ送信を受信するＲＦＩＤリーダーを含む
請求項２に記載の改良分界点システム。
【請求項１０】
前記複数のタグからの前記複数の近距離データ送信は、前記プロセッシングユニット内のデータストレージ内に格納さる
請求項９に記載の改良分界点システム。
【請求項１１】
前記複数のタグからの前記複数の近距離データ送信は、アップストリームデータの信号として第１のデータセンタに送信される
請求項９に記載の改良分界点システム。
【請求項１２】
前記プロセッシングユニットは、前記プロセッシングユニットをユーザインタフェースデバイスと接続するポータルを有する
請求項２に記載の改良分界点システム。
【請求項１３】
前記第１の改良分界点は、避雷器、１又は複数のフューズ、及びテスト回路を有する１又は複数の内部構成要素をさらに有する
請求項２に記載の改良分界点システム。
【請求項１４】
複数の改良分界点を更に含む改良分界点システムであって、
前記複数の改良分界点は、前記第１の場所において前記第１の改良分界点を含み、第２の場所において第２の改良分界点を含み、
前記複数の改良分界点は、前記第１の電話網において、互いに通信し、
前記複数の改良分界点は、１又は複数のモバイルデバイスと通信する
請求項２に記載の改良分界点システム。
【請求項１５】
前記複数の改良分界点は、有線電話網上又は無線電話網上のいずれかにより、前記第１の電話網において通信し、
前記複数の改良分界点は、たとえ、前記有線電話網又は前記無線電話網がフェィルだとしても、アップストリームデータの信号を維持する
請求項１４に記載の改良分界点システム。
【請求項１６】
前記複数の改良分界点は、１又は複数の送電塔を用いて無線電話網において互いに通信できる
請求項１４に記載の改良分界点システム。
【請求項１７】
前記第１の改良分界点の前記電力入力システムは、有線電話網を介して前記電源を受信する
請求項２に記載の改良分界点システム。
【請求項１８】
前記第１の改良分界点の前記電力入力システムは、太陽電池パネルの形成する前記電源を受信する
請求項２に記載の改良分界点システム。
【請求項１９】
前記第１の改良分界点は、ダウンストリームデータの信号を受信し、第三者データとして格納するために、前記ダウンストリームデータの信号を第１のデータセンタに送信し、
前記第三者データは、承認された資格情報を有する第三者によってアクセス可能である
請求項２に記載の改良分界点システム。
【請求項２０】
前記第三者データは、１又は複数のユーティリティメータからの信号を含む
請求項１９に記載の改良分界点システム。
【請求項２１】
前記第三者データは、１又は複数のスマートデバイスからの信号を含む
請求項１９に記載の改良分界点システム。
【請求項２２】
前記第三者データは、セキュリティ又は自動化システムからの信号を含む
請求項１９に記載の改良分界点システム。
【請求項２３】
複数の改良分界点を１又は複数の場所に取り付けする段階と、
第１の電話網における前記複数の改良分界点の間のアップストリームデータを送受信する段階と、
前記複数の改良分界点と、それらの各々の１又は複数の場所との間のダウンストリームデータを送受信する段階と
を備え、
前記複数の改良分界点の各々は、データ入出力システム、電力入力システム、及びプロセッシングユニットを有し、
前記データ入出力システムは、ネットワークコントローラ、フェムトセル、及びＷｉ−Ｆｉ（登録商標）アンテナを有し、
前記電力入力システムは、第１の改良分界点用の電源を受信し、
前記第１の改良分界点は、第１の場所において設置され、
前記データ入出力システムは、第１の電話網へ、及び、前記第１の電話網から、データ信号（前記アップストリームデータの信号とも称する）を受信し、且つ、ブロードキャストし、並びに、前記第１の場所へ、及び、前記第１の場所から、データ信号（前記ダウンストリームデータの信号とも称する）を受信し、且つ、ブロードキャストし、
前記プロセッシングユニットは、データストレージ、１又は複数のプロセッサ、１又は複数のメモリユニット、及び通信ハードウェアを有し、
前記通信ハードウェアは、前記プロセッシングユニットと、前記データ入出力システム及び前記電力入力システムの両方との間で複数の信号を通信する
改良分界点の使用方法。
【請求項２４】
前記複数の改良分界点は、前記第１の場所において前記第１の改良分界点を含み、第２の場所において第２の改良分界点を含み、
前記複数の改良分界点は、前記第１の電話網において、互いに通信し、
前記複数の改良分界点は、１又は複数のモバイルデバイスと通信する
請求項２３に記載の改良分界点の使用方法。
【請求項２５】
前記複数の改良分界点は、有線電話網上又は無線電話網上のいずれかにより、前記第１の電話網において通信し、
前記複数の改良分界点は、たとえ、前記有線電話網又は前記無線電話網がフェィルだとしても、アップストリームデータの信号を維持する
請求項２４に記載の改良分界点の使用方法。
【請求項２６】
前記複数の改良分界点は、１又は複数の送電塔を用いて無線電話網において互いに通信できる
請求項２４に記載の改良分界点の使用方法。
【請求項２７】
第三者データとして格納するために、前記複数の改良分界点から第１のデータセンタに、前記ダウンストリームデータの信号を送信する段階をさらに備え、
前記第三者データは、承認された資格情報を有する第三者によってアクセス可能である
請求項２３に記載の改良分界点の使用方法。
【発明の詳細な説明】
【背景技術】
【０００１】
電話法において、分界点は、公衆交換電話網が終わり、顧客のオンプレミス配線と接続する点である。それは、誰が配線、装置・・・顧客／加入者、又は電話会社／プロバイダの設置及びメンテナンスの責任者であるかを判別する境界線である。分界点は、複数の国の間で変化し、徐々に移り変わる。
【０００２】
複数の分界システム又は複数のコンポーネントの例は、米国特許番号７６７２４４８  Ｂ２、８２７９８０５  Ｂ２、及びＵＳ８２９５２１５  Ｂ２、並びに、特許番号ＣＮ１００４９５４６３  Ｃに見出された参照によって組み込まれることにより、本願及び本明細書内に応じる。
【０００３】
分界点は、時に、ｄｅｍａｒｃ、ＤＭＡＲＣ又は同様のもののように簡略化される。ＭＰＯＥ（ｍｉｎｉｍｕｍ  ｏｒ  ｍａｉｎ  ｐｏｉｎｔ  ｏｆ  ｅｎｔｒｙ）という用語は、顧客のプレミスに入るとできるだけすぐに、追加の関わりが生じるものと同義である。ネットワークインターフェースデバイスは、しばしば分界点として機能する。
【発明の概要】
【０００４】
改良分界点システム及び改良分界点の使用方法が開示される。
【０００５】
改良分界点システムは、データ入出力システム、電力入力システム、及びプロセッシングユニットを含む第１の改良分界点を含む。データ入出力システムは、ネットワークコントローラ、フェムトセル、及びＷｉ−Ｆｉ（登録商標）アンテナを備える。電力入力システムは、第１の改良分界点用の電源を受信する。第１の改良分界点は、第１の場所において設置される。データ入出力システムは、第１の電話網へ、及び、第１の電話網から、データ信号（アップストリームデータ信号とも称する）を受信し、且つ、ブロードキャストし、並びに、第１の場所へ、及び、第１の場所から、データ信号（ダウンストリームデータ信号とも称する）を受信し、且つ、ブロードキャストする。プロセッシングユニットは、データストレージ、１又は複数のプロセッサ、１又は複数のメモリユニット、及び通信ハードウェアを有する。通信ハードウェアは、プロセッシングユニットと、データ入出力システム及び電力入力システムの両方との間で複数の信号を通信する。
【０００６】
改良分界点の使用方法は、複数の改良分界点を１又は複数の場所に取り付ける段階と、第１の電話網における複数の改良分界点の間のアップストリームデータを送受信する段階と、複数の改良分界点と、それらの各々の１又は複数の場所との間のダウンストリームデータを送受信する段階とを有する。複数の改良分界点の各々は、データ入出力システム、電力入力システム、及びプロセッシングユニットを有する。データ入出力システムは、ネットワークコントローラ、フェムトセル、及びＷｉ−Ｆｉ（登録商標）アンテナを有する。電力入力システムは、第１の改良分界点用の電源を受信する。第１の改良分界点は、第１の場所において設置される。データ入出力システムは、第１の電話網へ、及び、第１の電話網から、データ信号（アップストリームデータ信号とも称する）を受信し、且つ、ブロードキャストし、並びに、第１の場所へ、及び、第１の場所から、データ信号（ダウンストリームデータ信号とも称する）を受信し、且つ、ブロードキャストする。プロセッシングユニットは、データストレージ、１又は複数のプロセッサ、１又は複数のメモリユニット、及び通信ハードウェアを有する。通信ハードウェアは、プロセッシングユニットと、データ入出力システム及び電力入力システムの両方との間で複数の信号を通信する。
【図面の簡単な説明】
【０００７】
【図１Ａ】図１Ａ、図１Ｂ、図１Ｃ及び図１Ｄは、有線電話網における改良分界点の全体の概観、及び以下に開示された改良分界点の３つのフロー図を図示する。
【０００８】
【図１Ｂ】複数の場所での改良分界点の概略図を図示する。
【０００９】
【図１Ｃ】第１の場所における第１の改良分界点の詳細なデータの概略図を図示する。
【００１０】
【図１Ｄ】第１の場所における第１の改良分界点１０の詳細な電力の概略図を図示する。
【００１１】
【図２】改良分界点の概略図を図示する。
【００１２】
【図３】現実世界設定における改良無線データネットワークの高架の概観を図示する。  一実施形態において、改良分界点は、無線データネットワークを改良無線データネットワークに修正するために利用できる。
【００１３】
【図４Ａ】改良分界点のない改良無線データネットワークの高架の概観を図示する。
【００１４】
【図４Ｂ】改良分界点を利用する改良無線データネットワークの高架の概観を図示する。
【００１５】
【図５】遠隔端末を利用する改良無線データネットワークの高架の概観を図示する。
【００１６】
【図６】遠隔端末の高架の概略図を図示する。
【発明を実施するための形態】
【００１７】
本明細書は、改良分界システム及び使用方法を開示する。下記の説明は、後述の特定の複数の例のコンテキストにおいてクレームされ、提供されたような発明をし、使用させることを、任意の当業者に可能にするために提示され、この変更は当業者にとって容易に明らかであろう。明確化のために、実際の実施の全ての特徴が本明細書に開示されるわけではない。任意のこのような実際の実施の開発（任意の開発プロジェクトにおけるような場合）において、設計者の特定の目的（例えば、システム関連制約及びビジネス関連制約の順守）を達成するために作成されるに違いない設計の複数の決定、及びこれらの目的が１つの実施から他に変化させるであろうことが好ましい。そのような開発努力が複雑になり、時間を食うであろうが、やはり、この開示の恩恵を受ける適当な技術の分野の当業者の決められた仕事になるであろうことも好ましい。したがって、本明細書に添付の複数の請求項は、開示された実施形態により限定されることを意図するものではないが、本明細書に開示された原則及び特徴に一致する最大の範囲にふさわしくなる。
【００１８】
図１Ａ、図１Ｂ、図１Ｃ及び図１Ｄは、有線電話網１０２ａにおける改良分界点１００の全体の概観、及び以下に開示された改良分界点１００の３つのフロー図を図示する。一実施形態において、改良分界点１００（又は「スマート分界システム」）は、１又は複数の場所に設置され得る。一実施形態において、１又は複数の場所は、１又は複数の住居又は居所を含み得る。一実施形態において、第１の電話網１２０ａは、有線電話網１０２ａ及び無線電話網１０２ｂを含み得る。一実施形態において、第１の電話網１２０ａは、当技術分野で周知のように、ネットワークライン１０６ａ又は無線信号１０６ｂを介して、１又は複数の場所のうちの１又は複数に接続し得る。一実施形態において、１又は複数の場所は、第１の場所１０４ａを含み得る。一実施形態において、ネットワークライン１０６ａは、（下記に述べられ、図示された）データ信号２０２及び（下記に述べられ、図示された）電源２０３を改良分界点１００に伝達し得る。一実施形態において、有線電話網１０２ａは、当技術分野で周知のように、（図示されたような）地上有線ネットワークを介し、又は地下ネットワークを介して、１又は複数の場所に接続され得る。
【００１９】
図１Ｂは、複数の場所の改良分界点１００の概略図を図示する。一実施形態において、１又は複数の場所は、第１の場所１０４ａ、第２の場所１０４ｂ、及び第３の場所１０４ｃを含み得る。一実施形態において、改良分界点１００は、単一場所（第１の場所１０４ａ等）に割り当てられ得、又は複数の場所（第１の場所１０４ａ、第２の場所１０４ｂ、及び第３の場所１０４ｃ等）に割り当てられ得る。一実施形態において、改良分界点１００は、団地、オフィスビル、又は商業施設等の複数の人がいる場所に割り当てられ得る。このように、改良分界点１００は、１対１、１対多数、及び／又は多数対１になり得る。一実施形態において、改良分界点１００は、使用者のニーズに適応するモジュール式組立品のようにスケールアップし得る余分な機器を含み得る。
【００２０】
一実施形態において、複数の改良分界点（即ち、複数の改良分界点１００）は、共に役立ち得る。一実施形態において、複数の改良分界点は、第１の改良分界点１００ａ、第２の改良分界点１００ｂ、及び第３の改良分界点１００ｃを含み得る。ここで図１Ｂを参照すると、第１の改良分界点１００ａが第１の場所１０４ａに取り付けられ得、第２の改良分界点１００ｂが第２の場所１０４ｂに取り付けられ得、及び第３の改良分界点１００ｃが第３の場所１０４ｃに取り付けられ得る。複数の改良分界点のそれぞれは、有線電話網１０２ａ及び／又は無線電話網１０２ｂによって互いに接続され得る。後述し及び／又は当技術分野において既知であろうように、第１の電話網１２０ａは、最新の範囲及び複数のレガシーデータ／ＶＯＩＰネットワークを含み得る。有線電話網１０２ａに注目し、複数の改良分界点は、１又は複数の送電塔及び遠距離通信プロバイダネットワーク１２１に沿って、有線電話網１０２ａに取り付け得る。一実施形態において、１又は複数の送電塔は、第１の塔１０８ａ及び第２の塔１０８ｂ含み得る。一実施形態において、１又は複数の送電塔は、当技術分野で周知のように、複数の異なる無線サービスプロバイダによって運営された１又は複数の送電塔を含み得る。例えば、一実施形態において、第１の塔１０８ａは、Ｖｅｒｉｚｏｎ（登録商標）によって所有され、及び／又は運営され得、及び第２の塔１０８ｂは、ＡＴ＆Ｔ（登録商標）によって所有され、及び／又は運営され得る。それにもかかわらず、１又は複数の送電塔のそれぞれは、同一の電話網に取り付けられ得るが、改良分界点１００が適切に運営されることを必要としていない。一実施形態において、遠距離通信プロバイダネットワーク１２１は、遠隔端末１１０、第１の中央局１１２ａ、及び第１のデータセンタ１１４を含み得る。一実施形態において、第１の中央局１１２ａは、複数の遠隔端末１１０を提供し得る。一実施形態において、遠距離通信プロバイダネットワーク１２１は、（即ち、複数の改良分界点及び１若しくは複数の送電塔の１又は複数の場所の他のセットである）第２の電話網１２０ｂに接続し得る。一実施形態において、当技術分野で周知のように、遠距離通信プロバイダネットワーク１２１及び第１の電話網１２０ａは、Ｗｏｒｌｄ  Ｗｉｄｅ  Ｗｅｂ１２３に取り付け得る。一実施形態において、遠隔端末１１０、第１の中央局１１２ａ、及び／又は第１のデータセンタ１１４の間の遠距離通信プロバイダネットワーク１２１内と通信したデータは、内部ネットワーク１２２上に送信され得、遠隔端末１１０において暗号化され得る。
【００２１】
一実施形態において、第１の電話網１２０ａは、有線電話網１０２ａがフェィルである場合に、アクティブのままに設計され得る。例えば、一実施形態において、有線電話網１０２ａがフェィルの場合に、複数の改良分界点のそれぞれが、（さらに後述する）互いに通信する無線トランスミッタ、１又は複数の送電塔及び／又は（無線トランスミッタを含み得る）遠隔端末１１０を含み得る。このように、改良分界点１００は、複数の改良分界点に連続的なデジタル通信信号、又は「デジタル心臓部」と称され得るものを提供するために設計される。同様に、複数の改良分界点が互いに及び１又は複数の送電塔と通信可能であり、それ故に、局在された複数の塔のように振る舞い、複数の改良分界点が「タワーエリアネットワーク」と称され得る。
【００２２】
図１Ｃは、第１の場所１０４ａにおける第１の改良分界点１００ａの詳細なデータ概略図を図示する。一実施形態において、改良分界点１００は、モバイルデバイス１２８からのデータを中継するのに役立ち得る。一実施形態において、モバイルデバイス１２８がＷｉ−Ｆｉ（登録商標）又は有線ネットワークのような改良分界点１００と通信する手段を含むという条件で、モバイルデバイス１２８は、携帯電話、デスクトップ、ラップトップ、タブレット、サーバー、又は同様のものを含み得る。一実施形態において、モバイルデバイス１２８が、改良分界点１００（又は、本明細書で説明された第１の改良分界点１００ａ）とデータ通信する無線電話網１０２ｂからのデータをオフロードするのに改良分界点１００は役立ち得る。例えば、一実施形態において、モバイルデバイス１２８は、適当な帯域幅が利用可能である場合に、改良分界点１００（及び有線電話網１０２ａ）上でＶＯＩＰデータを送信し得る。したがって、複数の改良分界点は、ローカルネットワークへのローカルトラフィックを除去することにより、有益なスペクトル又はデータ帯域幅を保護し得る。しかしながら、ある場合において、有線電話網１０２ａは混雑し、図示されたように、高い優先度のデータ（ＶＯＩＰ等）が、改良分界点１００を介して、又は改良分界点１００を迂回してのいずれかにより、無線電話網１０２ｂへの別の経路に切り替えられ得る。
【００２３】
一実施形態において、複数の改良分界点は、１又は複数の場所からのデータ通信の他のタイプを有効にするのに役立ち得る。例えば、一実施形態において、第１の改良分界点１００ａは、１又は複数のユーティリティメータ１３０、１又は複数のスマートデバイス１３２、セキュリティ若しくは自動化システム１３４又は同様のものに接続し得る。一実施形態において、１又は複数のユーティリティメータ１３０は、水道メータ、電気メータ、ガスメータ又は同様のものを含み得る。一実施形態において、１又は複数のスマートデバイスは、複数のスマート冷蔵庫、スマート洗濯機、及び同様のもののような複数のネットワーク通信ポート及び複数のセンサを有する複数の電化製品を含み得る。一実施形態において、セキュリティ又は自動化システム１３４は、複数のホームセキュリティシステム、複数のビデオ監視システム、複数の自動化ロック、複数のクライメイトコントロールシステム、複数のかんがいシステム、及び同様のものを含み得る。いくつかの電気メータが、データブロードキャスト機能を含むことは、合衆国の当技術分野において既知である。しかしながら、１又は複数のユーティリティメータ１３０からの何度ものデータブロードキャストは、（マイクロ波データブロードキャストのような）有害なスペクトル及び強度があり得る。一実施形態において、改良分界点１００は、１又は複数のユーティリティメータ１３０への、及び１又は複数のユーティリティメータ１３０からの全てのデータブロードキャストを送受信するために構成され得る。この構成は、１又は複数のユーティリティメータ１３０から有線電話網１０２ａへデータを統合することによりスペクトルを節約し、マイクロ波データ通信のための必要性を解消し得、これらのデータが第１の電話網１２０ａなどのプライバシー保証ネットワークを処理したであろう故に、ユーティリティのためのデータプライバシー問題の必要性を解消するであろう。同様に、有線電話網１０２ａから１又は複数の場所へのデータの移動は、ケーブルＴＶ、インターネット、電話サービス、（携帯電話等の）モビリティ、及びそのようなもの等の周知のメディアサービスの販売及びマーケティングを促進し得る。そのようなサービスは、１又は複数の場所における複数のデバイスから、（複数の第１のデータセンタ１１４へと接続し得る）第１のデータセンタ１１４上の又はスーパーデータハブ１１５上のデータへのアクセスを獲得し得る。同様に、複数の改良分界点において収集された第三者データは、第１のデータセンタ１１４及び／又はスーパーデータハブ１１５において格納され得、第三者データは、（上述の）１又は複数のユーティリティメータ１３０の顧客に請求し、又はメディアサービスを提供するのに役立ち得る。一実施形態において、改良分界点１００は、（後述の）ＲＦＩＤリーダー等の近距離タグリーダーを含み得、第三者データは、１又は複数の場所における複数のアイテムの在庫を作るために機能し得る、１又は複数の場所内のＲＦＩＤタグに関するデータを含み得る。したがって、ローカル在庫の自動管理は、１又は複数の場所から売られた複数のアイテムの、簡単な登録、販売及び／又は課税を可能にし得る。一実施形態において、第三者データは、適当な資格証明書を有する第三者によって接続され得る。例えば、一実施形態において、ユーティリティプロバイダは、１又は複数のユーティリティメータ１３０に関連する第三者データに接続するための適当な資格証明書を有するであろう。
【００２４】
１又は複数の場所１０における複数の改良分界点の１つの特徴は、１又は複数のスマートデバイス１３２及び／又はセキュリティ若しくは自動化システム１３４の製造業者及び売買人に電話サービスを提供する能力を含み得、それにより電話サービスを１又は複数の場所の所有者に売るための必要性を回避する。例えば、一実施形態において、１又は複数のスマートデバイス１３２は、第１の電話網１２０ａのオペレータと１又は複数の場所の所有者との間の申し込み状況に関わらず、第１の電話網１２０ａ上の改良分界点１００の範囲内で、第１の電話網１２０ａのオペレータのデバイスの全てにアクセスするためにオペレータと契約し得る。
【００２５】
第１の電話網１２０ａ上の複数の改良分界点の他の特徴は、Ｙｏｕｔｕｂｅ．ｃｏｍ及び／又はＮｅｔｆｌｉｘ．ｃｏｍ等のビデオウェブサービスに用いられるラージメディアファイル等のデータのライブラリを含み得る第１のデータセンタ１１４への局在したアクセスである。
【００２６】
図１Ｄは、第１の場所１０４ａにおける第１の改良分界点１００ａの詳細な電力概略図を図示する。一実施形態において、複数の改良分界点は、１又は複数の場所の間で、複数の場所に電力を提供するのに役立ち得る。例えば、一実施形態において、複数の改良分界点は、任意の多くの既知の電力輸送の形態で有線電話網１０２ａから入力された電力を受信し得、例えば、ファイバ上の電力（参照によって本明細書に組み込まれた当技術分野における新たな技術）、銅の電力、同軸電力輸送、又は同様のものである。同様に、複数の改良分界点は、「ＸＢＥＥ（登録商標）」によって紹介された技術のような、電力の無線送信から入力された電力（参照によって本明細書に組み込まれた当技術分野における新たな技術）を受信するように構成され得る。一実施形態において、（本明細書において説明されたような）第１の改良分界点１００ａは、有線電話網１０２ａ、（当技術分野で周知のような）電力供給網１４０、（太陽電池パネル１４２のような）オンプレミス電源又は同様のものから入力された電力を受信し得る。一実施形態において、電力供給網１４０は、ジャンパー電源を第１の改良分界点１００ａに提供するのに役立つ。一実施形態において、有線電話網１０２ａは、第１の中央局１１２ａにおいて、バッテリーバックアップ１４４を有し得る。一実施形態において、いくつかのシステムにおいて知られているように、バッテリーバックアップ１４４は、第１の電話網１２０ａ上の電話線毎に４つの１２Ｖバッテリを含み得る。一実施形態において、改良分界点１００は、第１の電話網１２０ａ用の他のバックアップ電源として機能するために、（後述の）バッテリ２２４を含み得る。
【００２７】
図２は、改良分界点１００の概略図を図示する。合衆国において、現代の分界点は、ＦＣＣ規則（４７Ｃ．Ｆ．Ｒ．パート６８）によって定義された装置であり、第三者電話顧客プレミス機器と配線（ロケーションネットワーク２０１等）の公衆交換電話網（ＰＳＴＮ）（有線電話網１０２ａ等）への安全な接続を可能にする。一実施形態において、ロケーションネットワーク２０１は、１又は複数の電話に取り付けられた１又は複数の場所において、複数の有線のネットワークを含み得る。現代の分界点（従来技術）は、ネットワークインターフェースデバイス（ＮＩＤ）を含み得、ＮＩＤは電話会社の所有物である。ＮＩＤは、室外（一般に、防水ボックス内のビルの外装に取り付けられる）又は室内であってよい。ＮＩＤは、通常、技術者に容易にアクセスできるように配置される。一実施形態において、ＮＩＤは、改良分界点１００によって、修正し、及び／又は交換され得る。
【００２８】
一実施形態において、改良分界点１００は、データ信号２０２及び電源２０３を受信し得る。一実施形態において、改良分界点１００は、１又は複数の内部構成要素２０５、電力入力システム２１８、データ入出力システム２２０、及びプロセッシングユニット２１１を含み得る。一実施形態において、電力入力システム２１８は、電話網、電力供給網１４０を介して、又は上述のこれらによる変更によって電源２０３を受信し得る。一実施形態において、データ入出力システム２２０は、アップストリームデータ信号（即ち、１又は複数の場所の外側）からデータ信号２０２を受信し得、データ入出力システム２２０においてデータ信号２０２を処理し得、データ信号２０２をダウンストリームデータ信号（即ち、１又は複数の場所の内側）に渡し得、同一の操作を逆にし得る。多くの場合、中央局から改良分界点１００（アップストリームデータ信号）への全てのものはキャリアによって所有され、それを通過した全てのものは、土地の所有者（ダウンストリームデータ信号）によって所有される。一実施形態において、電源２０３は、避雷器２０４、１又は複数のフューズ２０６、及びテスト回路２０８を含み得る。一実施形態において、電力入力システム２１８は、電力ユニット２１２、ＲＪ−１１ジャッキ２１４、及びバッテリ２２４を含み得る。一実施形態において、電力入力システム２１８は、改良分界点１００の外側からの電源２０３を受信し得、改良分界点１００内で動作するために電源２０３を置く。一実施形態において、データ入出力システム２２０は、ネットワークコントローラ２１０、１又は複数のデータアンテナ２１６、フェムトセル２１７、ＲＦＩＤリーダー２２２、及びＷｉＦｉ（登録商標）アンテナ２１３を含み得る。一実施形態において、プロセッシングユニット２１１は、ポータル２２６及びデータストレージ２２８を含み得る。一実施形態において、改良分界点１００の複数の部分は、モジュール式組立品であり得、したがって、修理、取り換え、及びアップグレードが簡単である。
【００２９】
一実施形態において、（避雷器２０４、１又は複数のフューズ２０６及び／又はテスト回路２０８を含む）１又は複数の内部構成要素２０５は、プレミスにおいて技術者を要することなく、キャリアが顧客プレミス内又はキャリア配線内に配線失敗があるか否かを遠隔でテストすることを可能にし得る。一実施形態において、改良分界点１００のＲＪ−１１ジャッキ２１４（「テストジャッキ」又は「分界ジャッキ」）は、有線電話網１０２ａ、及びモジュール式組立品コネクタによってジャッキに接続する電話コードの小さなループに直接接続され得る。ループが切断された場合、ロケーションネットワーク２０１は、有線電話網１０２ａから隔離され得、顧客は、配線失敗の場所を判別するのを助けるためにジャッキを介してネットワークに電話を直接接続し得る。
【００３０】
一実施形態において、電力入力システム２１８は、改良分界点１００に電力を送り得る。一実施形態において、ＲＪ−１１ジャッキ２１４は、電源（電源２０３等）を１又は複数の場所に運び得る。同様に、１又は複数の場所における複数のＲＪ−１１ジャッキポートは、ＲＪ−１１ジャッキ２１４を介して複数の電力装置に使用され得る第１の電話網１２０ａのようなアダプタを有するＵＳＢ電力出力に変換され得る。
【００３１】
一実施形態において、プロセッシングユニット２１１は、データ信号２０２を処理し、キャリアのネットワーク（有線電話網１０２ａ等）と通信し、他の改良分界点と通信し、１又は複数のデータアンテナ２１６及びフェムトセル２１７の使用を促進し、ロケーションネットワーク２０１上のＶＯＩＰ及び／又はデータ信号を分配し、及び同様に動作する。一実施形態において、プロセッシングユニット２１１は、データ計算を可能にする１又は複数のプロセッサ２３０、１及びランダムなデータのアクセスストレージの読み込みを可能にする１又は複数のメモリユニット２３２、並びに他のコンポーネント及びマシーンとの通信を可能にする通信ハードウェア２３４を含み得る。
【００３２】
一実施形態において、データ入出力システム２２０は、改良分界点１００からのアップストリーム通信及びダウンストリーム通信を処理し得る。一実施形態において、１又は複数のデータアンテナ２１６は、中央局又は他の周知のノードを介して、キャリアと通信し得る。一実施形態において、キャリアは、ＶＯＩＰ、デジタルテレビ、デジタルラジオ、ビデオ会議、インターネット、イントラネット、及び／又は同様の複数の信号を、有線電話網１０２ａ中に、及び／又は１又は複数のデータアンテナ２１６を介して配信し得る。一実施形態において、１又は複数のデータアンテナ２１６、フェムトセル２１７、データ入出力システム２２０は、第１の電話網１２０ａに接続可能な複数のアップストリームデータハンドラーとして動作し得、ネットワークコントローラ２１０は、改良分界点１００からのデータ、及び１又は複数の場所へのデータの複数のダウンストリームデータハンドラーとして動作し得る。一実施形態において、ネットワークコントローラ２１０は、ロケーションネットワーク２０１を介して、有線接続を介して、又はＷｉ−Ｆｉ（登録商標）アンテナ２１３（又は同等の、又は同様のネットワーク）を介して通信し得る。一実施形態において、遠距離通信プロバイダネットワーク１２１及び／又はＷｏｒｌｄ  Ｗｉｄｅ  Ｗｅｂ１２３への複数の通りの多数である、複数のアップストリームデータハンドラーは、その冗長性のために強固である。したがって、改良分界点１００は、上述したように、通信の信頼性のある手段及び即時の「デジタル心臓部」を提供し得る。一実施形態において、データ信号２０２は、近所（即ち、他の１又は複数の場所の中）、１又は複数の送電塔のうちの１つ、及び／又は有線電話網１０２ａ（銅、ファイバ、又は同様のもの）からの信号を含み得る。
【００３３】
一実施形態において、ネットワークライン１０６ａは、データ信号２０２をデータ入出力システム２２０に運び得、電源２０３を電力入力システム２１８に運び得る。一実施形態において、電源２０３は、データ入出力システム２２０を介して、電力ユニット２１２に送信され得る。一実施形態において、データ信号２０２は、電力入力システム２１８を介してネットワークコントローラ２１０に送信され得る。一実施形態において、データ信号２０２及び電源２０３は、ネットワークライン１０６ａ等の単一ワイヤを介して、改良分界点１００に配信され得る。一実施形態において、データ信号２０２は、スマートグリッド、ＤＳＬネットワーク、同軸ケーブル、ネットワーク、ファイバネットワーク、ツイストペアネットワーク、又は同様のものを介して、データ入出力システム２２０に配信され得る。一実施形態において、改良分界点１００は受動分界点を含み得、改良分界点１００は電力入力システム２１８を含まないであろう。
【００３４】
一実施形態において、ネットワークライン１０６ａは、光ファイバケーブル、同軸ケーブル、又、時には、シールドなしツイストペアワイヤを含み得る。一実施形態において、改良分界点１００は、新しい通信チャネルにロケーションネットワーク２０１（又は最初のプレミスＰＯＴＳ配線及び機器）を接続する必要がある機器を含み得る。
【００３５】
多くの場所で、様々な顧客は、工業設定用の又は小規模ショッピングセンター設定用の１つの中央ＤＥＭＡＲＣ（改良分界点１００等）を共有する。通常、ＤＥＭＡＲＣは、単一顧客よりも多くに仕える場合、室内に配置されるであろう。これはアクセスを邪魔し得る。複数の室外ＤＥＭＡＲＣシステムは、より簡単なアクセスを提供し、他のテナントを邪魔することなくアクセスするが、雨除けし、及び／又は複数のワイヤ及びサービスのそれぞれの新たな追加のために壁に穴抜きをする必要があるかもしれない。一般的に、室内ＤＥＭＡＲＣは、Ｔ−１ライン用のＲＪ−４５ジャッキを有するボックスの一続きに隣接する壁上の複数の電話線のパッチパネルによって簡単に識別され得る。
【００３６】
一実施形態において、改良分界点１００の１又は複数のデータアンテナ２１６は、無線データ送信点を含み得る。一実施形態において、１又は複数のデータアンテナ２１６は、１又は複数の無線ノード及び／又は無線デバイスに、１又は複数の無線データ信号のブロードキャストを可能にし得る。例えば、一実施形態において、１又は複数のデータアンテナ２１６は、モバイルデバイス１２８に１又は複数の無線データ信号をブロードキャストし得る。一実施形態において、１又は複数のデータアンテナ２１６は、現在の（知られた）送信規格により通信し得、又は将来の複数のプロトコルに適合するために、再プログラム化され／再配置され得る。
【００３７】
一実施形態において、フェムトセル２１７は、セルラー及び／又は無線データ基地局を含み得る。一実施形態において、フェムトセル２１７は、当技術分野で周知のように使用され得る。一実施形態において、フェムトセル２１７は、「マイクロセル」と称され得る。一実施形態において、フェムトセル２１７は、現在、当技術分野において既知（一般に、２００ｍから２ｋｍの範囲）に似た限界がある。一実施形態において、フェムトセル２１７は、より大きな範囲及び信号強度／タイプの必要性が必要であるとき、より大きな範囲を有し得る。一実施形態において、フェムトセル２１７は、モバイルデバイス１２８と複数のキャリアネットワークとの間の通信に適応するために、複数のキャリアネットワークと接続し得る。一実施形態において、複数の改良分界点は、ネットワーク混雑を削減するために、個別の複数のキャリアに選択的に割り当てられ得、第１の改良分界点１００ａのフェムトセル２１７は、第１のキャリアに割り当てられ得、第２の改良分界点１００ｂのフェムトセル２１７は、第２のキャリアに割り当てられ得、同様に続く。しかしながら、フェムトセル２１７のそれぞれは、第１の電話網１２０ａ上のネットワークトラフィックのバランスを取るために欠かせない複数のキャリアに割り当てられ得る。
【００３８】
一実施形態において、改良分界点１００は、改良分界点１００に新しい機能を追加することが可能であるモジュール式組立品の複数の追加を含み得、したがって、１又は複数の場所のうちの１又は複数への新しいサービスを拡大し得る。例えば、一実施形態において、モジュール式組立品の複数の追加の１つは、温度調節器、ホームセキュリティ、ケーブル及びオンデマンドビデオなどのビデオサービス、及びインターネットサービス提供のような複数のホームオートメーションタスクを制御することが可能なモジュールを含み得る。一実施形態において、改良分界点１００の所有者は、ベンダーが改良分界点１００及び／又は有線電話網１０２ａにアクセスすることを許可する料金を収集し得る。
【００３９】
一実施形態において、ＲＦＩＤリーダー２２２は、上述のように、登録及び在庫の特徴のための複数のＲＦＩＤタグのような複数の近距離タグを読み取るために使用され得る。一実施形態において、バッテリ２２４は、第１の電話網１２０ａに複数の改良分界点が接続されたままにすることを保証するために使用され得る。一実施形態において、ポータル２２６は、１又は複数の場所又は第１の電話網１２０ａの所有者又は保守要員に改良分界点１００に遠隔で接続させ、及びユーザインタフェースデバイス（タブレット、ＰＣ、又はスマートフォン等）を有する改良分界点１００に関連する管理設定を設定することを可能にする改良分界点１００にホストされた複数のソフトウェアプログラムのセットを含み得る。一実施形態において、データストレージ２２８は、上述したように、第三者データを含み得る、改良分界点１００において生成し又は収集されたデータを格納し得る。
【００４０】
図３は、現実世界設定における改良無線データネットワーク３００の高架の概観を図示する。一実施形態において、改良分界点１００は、無線データネットワークを改良無線データネットワーク３００に修正するために使用され得る。当技術分野において既知であるように、無線データネットワークは、有線ネットワーク（有線電話網１０２ａなど）によって、互いに、及び１又は複数のネットワーク（Ｗｏｒｌｄ  Ｗｉｄｅ  Ｗｅｂ１２３など）に接続された１又は複数の送電塔を含み、１又は複数の送電塔は、１又は複数の送電塔からの１又は複数の無線データ信号のブロードキャストが可能である。あいにく、１又は複数の送電塔の巨額のセットを展開するのに支出する大規模なインフラにもかかわらず、複数のキャリアは、顧客にとって有用な複数の場所の全てに及び、カバーすることができない。同様に、不動産は有限の資源であるから、いくつかのキャリアは、彼らの望むであろうような１又は複数の送電塔を伸ばすのに十分な複数の場所へのアクセスを獲得することができない。したがって、この問題の解決に役立つために、改良無線データネットワーク３００にとって大きな必要性が存在する。
【００４１】
一実施形態において、改良分界点１００は、複数のキャリア用のネットワークカバレッジを増加させるために、改良無線データネットワーク３００内に含まれ得る。一実施形態において、１又は複数の無線データ信号は、第１の塔１０８ａからの第１の信号３０２ａ、及び第１の改良分界点１００ａからの第２の信号３０２ｂを含み得る。一実施形態において、第１の信号３０２ａは、丘３０４等の障害物によって妨害され得、それによりユーザの場所３０６に到達するのを妨げられ得る。したがって、障害物のために、第１の信号３０２ａ用の第１の塔１０８ａがするよりも、第１の改良分界点１００ａが、第２の信号３０２ｂ用のより簡単なブロードキャストパスを有し得ることが可能である。同様に、１又は複数の送電塔が建設し得ない場合に、理由の如何を問わず、改良分界点１００は代替のネットワークアクセスポイントとして使用され得る。さらに、改良分界点１００の建設及び配備が安くなり得るので、その後、複数のキャリアが１又は複数の場所に改良分界点１００を設置するための地役権を有する。このように、一実施形態において、改良無線データネットワーク３００は、改良分界点１００（又は、より正確に、複数の改良分界点）を含むことにより改善され得る。複数の障害物（丘３０４など）の他の例は、複数の建物、複数の山、複数の渓谷、複数の谷、複数の木、森、降雨、又は同様のものを含む。
【００４２】
改良分界点１００を使用することは、１又は複数の場所及び／又は複数の住居の複数に改良分界点１００を設置すること、及び改良無線データネットワーク３００に無線データネットワークを変更することを含み得る。
【００４３】
図４Ａは、改良分界点１００を有さない改良無線データネットワーク３００の高架の概観を図示する。一実施形態において、改良無線データネットワーク３００は、１又は複数の送電塔のうちの１又は複数を含み得る。一実施形態において、１又は複数の送電塔は、第２の塔１０８ｂ及び第３の塔１０８ｃを含み得る。一実施形態において、第２の塔１０８ｂは、伝送距離４０４ｂを含み得、第３の塔１０８ｃは、伝送距離４０４ｃを含み得る。一実施形態において、伝送距離４０４ｂ及び伝送距離４０４ｃは、実質的に円であり得る。一実施形態において、第２の塔１０８ｂの周囲の伝送距離４０４ｂは、第２のセル４０２ｂを含み得る。一実施形態において、第３の塔１０８ｃの周囲の伝送距離４０４ｃは、第３のセル４０２ｃを含み得る。一実施形態において、改良無線データネットワーク３００は、第２のセル４０２ｂ及び第３のセル４０２ｃ等の複数の携帯電話基地局を含み得る。一実施形態において、複数の携帯電話基地局は、１又は複数の場所の一部のためのカバレッジを含み得る。一実施形態において、１又は複数の場所は、第２の場所１０４ｂ及び第３の場所１０４ｃを含み得る。このように、図示の通り、複数の携帯電話基地局は、第３の場所１０４ｃにカバレッジを提供し得るが、第２の場所１０４ｂにはカバレッジを提供し得ない。
【００４４】
図４Ｂは、改良分界点１００を利用する改良無線データネットワーク３００の高架の概観を図示する。一実施形態において、１又は複数の場所は、改良分界点１００を含み得、改良無線データネットワーク３００は、複数の分界セルを改良無線データネットワーク３００に追加することにより改善され得る。例えば、一実施形態において、複数の分界セルは、第２の場所１０４ｂの周囲の第２の分界セル４０８ｂと、第３の場所１０４ｃの周囲の第３の分界セル４０８ｃとを含み得る。
【００４５】
一実施形態において、１又は複数の場所の複数における改良分界点１００を有することは、カバーすることが困難な複数の場所内のデータ及びＶＯＩＰカバレッジを保証し得る。
【００４６】
一実施形態において、無線トラフィックが多数の呼び出しがあるまでブロードキャストをする必要がないであろうときに、改良無線データネットワーク３００を改良するために改良分界点１００を使用することは、省力する結果をもたらし得る。
【００４７】
同様に、改良分界点１００を１又は複数の場所１０４に組み込むことは、冗長性を判明させ得、１又は複数の送電塔のいくつかとしての全国の又は地方の緊急の間の有益な測定は、神の作用（即ち、トルネード、ハリケーン等）又はヒトの作用の間破壊され得る。一実施形態において、改良無線データネットワーク３００は、１又は複数の送電塔からのオフロードネットワークトラフィックに使用され得、それにより、１又は複数の送電塔が強制的な複数の場所における重大なトラフィックを自由に運ぶ。
【００４８】
図５は、遠隔端末１１０を利用する改良無線データネットワーク３００の高架の概観を図示する。一実施形態において、１又は複数の改良分界点１００は、有線電話網１０２ａ上で、遠隔端末１１０に接続し得る。一実施形態において、遠隔端末１１０は、有線電話網１０２ａ上で、１又は複数の改良分界点１００とデータ通信を維持し得、及び／又は実施し得る。一実施形態において、遠隔端末１１０は、１又は複数の改良分界点１００をそれぞれ含む１又は複数の場所に接続し得る。
【００４９】
一実施形態において、遠隔端末１１０は、有線電話網１０２ａから、１又は複数の送電塔のうちの１又は複数にデータを分配し得る。例えば、一実施形態において、第３の分界セル４０８ｃは、データ信号５０２を受信し得、第３の塔１０８ｃ用の第３のセル４０２ｃは、データ信号５０２を処理し得ない。その後、データ信号５０２は、有線電話網１０２ａを介して、第３の場所１０４ｃにおける改良分界点１００から、遠隔端末１１０へ及び１又は複数の送電塔間の有線電話網１０２ａの混雑のより少ない部分などのより最適な場所へ、通信され得る。例えば、一実施形態において、第３のセル４０２ｃを有する第３の塔１０８ｃが非常に混雑している場所で、データ信号５０２は、第３の場所１０４ｃにおける改良分界点１００で受信され得、それから第２のセル４０２ｂ内の遠隔端末１１０に通信され得、データ信号５０２は、より混雑した第３の塔１０８ｃよりもむしろ、第２の塔１０８ｂに送信され得る。
【００５０】
図６は、遠隔端末１１０の高架の概略図を図示する。一実施形態において、遠隔端末１１０は、有線電話網１０２ａの一部をデータ入出力６０２に接続することにより、有線電話網１０２ａと通信し得る。一実施形態において、遠隔端末１１０は、データ入出力６０２、ネットワークコントローラ６０４、電力入力６０６、電力ユニット６０８、及び１又は複数のデータアンテナ６１０を含み得る。一実施形態において、遠隔端末１１０は、電力入力６０６を介して電源を受信し得、電力ユニット６０８を有する遠隔端末１１０を動作させるために電源を分配し得る。一実施形態において、遠隔端末１１０は、１又は複数のデータアンテナ６１０を介してデータ信号５０２をブロードキャストすることにより、１又は複数の送電塔のうちの１又は複数にデータ信号５０２を分配し得る。
【００５１】
一実施形態において、有線電話網１０２ａに渡り運ばれたデータは、「データ不可知論者」様式において処理され得る。即ち、一実施形態において、改良分界点１００は、（プロバイダ１対プロバイダ２間などのような）データのソースにかかわらず１又は複数の場所のうちの１つにおけるデータを送信し、受信し、ブロードキャストし得る。
【００５２】
一実施形態において、１又は複数の遠隔端末１１０は、１又は複数の送電塔へのデータ配送を最適化するために用いられ得る。例えば、一実施形態において、データ信号５０２は、１又は複数の送電塔の間のデータレディタワーを見つけることができる送信点に到達する前に、複数の遠隔端末１１０に配信され得る。
【００５３】
一実施形態において、改良分界システム及び使用方法は、有線電話網１０２ａからのデータをオフロードするのに役立ち得、同一のものを受信することを可能にする１又は複数の送電塔の一部へのデータ信号５０２の中で最も重要な部分を得るのに役立ち得る。特定の適当な例は、緊急避難時（到来するハリケーンからの集団避難）の有線電話網１０２ａをオフロードするであろう。他の例は、スポーツ開催地又はビジネス地区などの過密地域におけるオフロードトラフィックを含み得る。他の例は、複数の携帯電話基地局が弱い、又は改良分界点１００を使用することなく適切にオーバーラップしない複数の場所におけるデータの受信を含み得る。
【００５４】
一方、データ信号５０２にとって、元のブロードキャスト場所からかなり遠く、「長く引き回される」ことは、有利ではないであろう。そのような長い引き回しは、データ忠誠を失い得、ことによると携帯呼び出しがＶＯＩＰコールとなり得、それ故に、規定の管轄におけるＶＯＩＰコールのため、規制的な制約及び技術的な制約が存在し得るものならば支配下にある。
【００５５】
下記の特許請求の範囲からはずれることなく、図示された操作方法の詳細における様々な変化が可能である。ある実施形態は、分離した段階として、本明細書において開示された活動を組み合わせてもよい。同様に、１又は複数の開示された段階は、方法が実行される特定の操作環境に応じて、省略されてもよい。上記の説明は例示であり、限定を意図するものではないことが理解することができる。例えば、上述の実施形態は、互いに組み合わされて使用されてよい。多くの他の実施形態は、上記の説明を検討するとすぐに、当業者にとって明らかであろう。したがって、添付の請求項を参照し、そのような請求項が受けるのと同等の全範囲に沿って、発明の範囲が決定されるべきである。添付の請求項において、「有する」、「において」の用語は、「含む」及び「そこで」のそれぞれの用語と同等の平易な日本語として使用される。
【図１Ａ】
2016503596.tif 000003
【図１Ｂ】
2016503596.tif 000004
【図１Ｃ】
2016503596.tif 000005
【図１Ｄ】
2016503596.tif 000006
【図２】
2016503596.tif 000007
【図３】
2016503596.tif 000008
【図４Ａ】
2016503596.tif 000009
【図４Ｂ】
2016503596.tif 000010
【図５】
2016503596.tif 000011
【図６】
2016503596.tif 000012
【手続補正書】
【提出日】平成27年6月11日(2015.6.11)
【手続補正１】
【補正対象書類名】特許請求の範囲
【補正対象項目名】全文
【補正方法】変更
【補正の内容】
【特許請求の範囲】
【請求項１】
改良分界点であって、
有線ネットワークインターフェースと、
第１の無線ネットワークインターフェースと、
第２の無線ネットワークインターフェースと
を含むデータ入出力システムと、
プロセッサを含むプロセッシングユニットと
を備え、
前記プロセッサは、
前記有線ネットワークインターフェース、前記第１の無線ネットワークインターフェース、及び前記第２の無線ネットワークインターフェースの少なくとも２つのアップストリーム送信状態を評価し、
前記アップストリームの複数の状態に基づいて、アップストリーム通信の送信用の、前記有線ネットワークインターフェース、前記第１の無線ネットワークインターフェース、又は前記第２の無線ネットワークインターフェースの１つを選択する
改良分界点。
【請求項２】
前記第１の無線ネットワークインターフェースは、セルラー基地局との接続を含み、前記プロセッサは、前記有線ネットワークインターフェースに接続された有線ネットワークがトラフィックで混雑した場合に、送信用の前記第１の無線ネットワークインターフェースを選択する
請求項１に記載の改良分界点。
【請求項３】
前記第１の無線ネットワークインターフェースは、セルラー基地局との接続を含み、前記アップストリーム通信はセルラーモバイルデバイスからのものであり、前記プロセッサは、有線ネットワーク接続に接続された有線ネットワークが有効な送信帯域幅を有する場合に、送信用の前記有線ネットワーク接続を選択する
請求項１又は２に記載の改良分界点。
【請求項４】
前記第１の無線ネットワークインターフェースは、セルラー基地局との接続を含み、前記プロセッサは、前記有線ネットワークインターフェースに接続された有線ネットワークがフェィルである場合又は有効でない場合、送信用の前記第１の無線ネットワークインターフェースを選択する
請求項１から３のいずれか一項に記載の改良分界点。
【請求項５】
前記第２の無線ネットワークインターフェースは、第２の改良分界点との接続を含み、前記プロセッサは、前記有線ネットワークインターフェースに接続された有線ネットワークがフェィルである場合又は有効でない場合、送信用の前記第２の無線ネットワークインターフェースを選択する
請求項１から４のいずれか一項に記載の改良分界点。
【請求項６】
主電源と、
バックアップ電源と
を有する電力入力システム
を更に備える請求項１から５のいずれか一項に記載の改良分界点。
【請求項７】
前記主電源は、前記改良分界点が取り付けられたプレミスの外部の第１のソースから電力を受信し、
前記バックアップ電源は、前記改良分界点が取り付けられた前記プレミスに固有の第２のソースからの電力を受信する
請求項６に記載の改良分界点。
【請求項８】
前記プロセッサは、更にユーティリティメータからの通信を受信し、複数のユーティリティ通信を統合するために前記通信をデータハブに送信し、前記統合をユーティリティプロバイダに送信する
請求項１から７のいずれか一項に記載の改良分界点。
【請求項９】
前記プロセッサは、前記アップストリーム通信及び前記アップストリームの複数の状態の特性に基づく前記アップストリーム通信の送信用の、前記有線ネットワークインターフェース、前記第１の無線ネットワークインターフェース、又は前記第２の無線ネットワークインターフェースの追加の１又は複数を更に選択する
請求項１から８のいずれか一項に記載の改良分界点。
【請求項１０】
改良分界システムであって、
第１の有線ネットワークインターフェースと、
第１の無線ネットワークインターフェースと、
第２の無線ネットワークインターフェースと
を含む第１のデータ入出力システムと、
前記第１の有線ネットワークインターフェースに接続された有線ネットワークがフェィルである又は有効でないと判断し、
第２の改良分界点へのアップストリーム送信を送信する
第１のプロセッサ
を含む第１のプロセッシングユニットと
を有する第１の改良分界点と、
第２の有線ネットワークインターフェースと、
第３の無線ネットワークインターフェースと、
第４の無線ネットワークインターフェースと
を含む第２のデータ入出力システムと、
前記第３の無線ネットワークインターフェースにおける前記アップストリーム送信を受信し、
前記第２の有線ネットワークに接続された有線ネットワークが有効である場合に、前記第２の有線ネットワークインターフェースを介して、前記アップストリーム送信を送信し、
前記第２の有線ネットワークに接続された前記有線ネットワークが有効でない場合に、第３の改良分界点への前記第３の無線ネットワークインターフェースを介した前記アップストリーム送信を送信する
第２のプロセッサ
を含む第２のプロセッシングユニットと
を有する前記第２の改良分界点と
を備える
改良分界システム。
【請求項１１】
前記第１の無線ネットワークインターフェースは、第１の無線プロバイダと関連する第１のセルラー基地局との接続を含み、前記第３の無線ネットワークインターフェースは、第２の無線プロバイダと関連する第２のセルラー基地局との接続を含み、
前記第１のプロセッサは、前記第１の無線プロバイダと関連する第１の複数のモバイルデバイスからの第１の複数の通信を更に統合し、前記第１の無線ネットワークインターフェースを介した前記統合された第１の複数の通信を送信し、
前記第２のプロセッサは、前記第２の無線プロバイダと関連する第２の複数のモバイルデバイスからの第２の複数の通信を更に統合し、前記第３の無線ネットワークインターフェースを介した前記統合された第２の複数の通信を送信する
請求項１０に記載のシステム。
【請求項１２】
プロセッサによって、有線ネットワークインターフェース、第１の無線ネットワークインターフェース、及び第２の無線ネットワークインターフェースの少なくとも２つのアップストリーム送信状態を評価する段階と、
プロセッサによって、アップストリームの複数の状態に基づいて、アップストリーム通信の送信用の、前記有線ネットワークインターフェース、前記第１の無線ネットワークインターフェース、又は第２の無線ネットワークインターフェースの１つを選択する段階と
を備える改良分界点において実行される方法。
【請求項１３】
前記第１の無線ネットワークインターフェースは、セルラー基地局との接続を含み、前記プロセッサは、前記有線ネットワークインターフェースに接続された有線ネットワークがトラフィックで混雑した場合に、送信用の前記第１の無線ネットワークインターフェースを選択する
請求項１２に記載の方法。
【請求項１４】
前記第１の無線ネットワークインターフェースは、セルラー基地局との接続を含み、
前記アップストリーム通信がセルラーモバイルデバイスからのものであり、
前記プロセッサは、有線ネットワーク接続に接続された有線ネットワークが有効な送信帯域幅を有する場合に、送信用の前記有線ネットワーク接続を選択する
請求項１２又は１３に記載の方法。
【請求項１５】
前記第１の無線ネットワークインターフェースは、セルラー基地局との接続を含み、
前記プロセッサは、前記有線ネットワークインターフェースに接続された有線ネットワークがフェィルである場合又は有効でない場合に、送信用の前記第１の無線ネットワークインターフェースを選択する
請求項１２から１４のいずれか一項に記載の方法。
【請求項１６】
前記第２の無線ネットワークインターフェースは、第２の改良分界点との接続を含み、
前記プロセッサは、前記有線ネットワークインターフェースに接続された有線ネットワークがフェィルである場合又は有効でない場合に、送信用の前記第２の無線ネットワークインターフェースを選択する
請求項１２から１５のいずれか一項に記載の方法。
【請求項１７】
電力入力システムを介して、電力を受信する段階を更に備え、
前記電力入力システムは、
主電源と、
バックアップ電源と
を備える請求項１２から１６のいずれか一項に記載の方法。
【請求項１８】
前記主電源は、前記改良分界点が取り付けられたプレミスの外部の第１のソースから電力を受信し、
前記バックアップ電源は、前記改良分界点が取り付けられた前記プレミスに固有の第２のソースからの電力を受信する
請求項１７に記載の方法。
【請求項１９】
前記プロセッサによって、ユーティリティメータからの通信を受信する段階と、
複数のユーティリティ通信を統合し、前記統合をユーティリティプロバイダに送信するためのデータハブに前記通信を送信する段階と
を更に備える請求項１２から１８のいずれか一項に記載の方法。
【請求項２０】
前記アップストリーム通信及び前記アップストリームの複数の状態の特性に基づく前記アップストリーム通信の送信用の、前記有線ネットワークインターフェース、前記第１の無線ネットワークインターフェース、又は前記第２の無線ネットワークインターフェースの追加の１又は複数を選択する段階と
を更に備える請求項１２から１９のいずれか一項に記載の方法。
【請求項２１】
第１の改良分界点の有線ネットワークインターフェースに接続された有線ネットワークが、フェィルであるか又は有効でないかを判断する段階と、
前記第１の改良分界点から第２の改良分界点へのアップストリーム送信を無線で送信する段階と、
前記第２の改良分界点の無線ネットワークインターフェースにおける前記アップストリーム送信を受信する段階と、
前記第２の改良分界点の前記有線ネットワークインターフェースに接続された前記有線ネットワークが有効である場合に、前記第２の改良分界点の前記有線ネットワークインターフェースを介して前記アップストリーム送信を送信する段階と、
前記第２の改良分界点の前記有線ネットワークインターフェースに接続された有線ネットワークが有効でない場合に、第３の改良分界点に前記アップストリーム送信を無線で送信する段階と
を備える改良分界方法。
【請求項２２】
前記第１の改良分界点の第１の無線インターフェースを、第１の無線プロバイダに関連付ける段階と、
前記第２の改良分界点の第２の無線インターフェースを、第２の無線プロバイダに関連付ける段階と、
前記第１の改良分界点によって、前記第１の無線プロバイダに関連する第１の複数のモバイルデバイスからの第１の複数の通信を統合する段階と、
前記第１の改良分界点によって、前記統合された第１の複数の通信を送信する段階と、
前記第２の改良分界点によって、前記第２の無線プロバイダに関連する第２の複数のモバイルデバイスからの第２の複数の通信を統合する段階と、
前記第２の改良分界点によって、前記統合された第２の複数の通信を送信する段階と
を更に備える請求項２１に記載の方法。
【国際調査報告】
2016503596.tif 000013